(57)【要約】【課題】漏電遮断器の誤動作を防止しつつ、ノイズフィルタを小型にできる漏洩電流低減装置を提供する。【解決手段】電源の各相と電子機器とを接続した配線の経路に接続された漏電遮断器と、漏電遮断器と電子機器との間で、配線の各々と接地とに接続された接地コンデンサと、漏電遮断器と電子機器との間で、電源の各相と電子機器とを接続した配線にかかる対地間電圧を検出し、対地間電圧を合成して合成電圧を生成する加算装置と、合成電圧を、電源の接地相以外の相と電子機器とを接続した配線から接地コンデンサを介して接地に流れる電流の電源の周波数成分と反対位相かつ同振幅の漏洩防止電流に変換し、漏洩防止電流を、電源の接地相と電子機器とを接続した配線を介して接地に向けて供給する電流供給装置とを備えた。【選択図】図１
2010130868.tif 000002
【特許請求の範囲】
【請求項１】
電源の各相と電子機器とを接続した配線の経路に接続された漏電遮断器と、
前記漏電遮断器と前記電子機器との間で、前記配線の各々と接地とに接続された接地コンデンサと、
前記漏電遮断器と前記電子機器との間で、前記電源の各相と前記電子機器とを接続した配線にかかる対地間電圧を検出し、前記対地間電圧を合成して合成電圧を生成する加算装置と、
前記合成電圧を、前記電源の接地相以外の相と前記電子機器とを接続した配線から前記接地コンデンサを介して前記接地に流れる電流の前記電源の周波数成分と反対位相かつ同振幅の漏洩防止電流に変換し、
前記漏洩防止電流を、前記電源の接地相と前記電子機器とを接続した配線を介して前記接地に向けて供給する電流供給装置と、
を備えたことを特徴とする漏洩電流低減装置。
【請求項２】
前記電流供給装置は、前記合成電圧から前記電源の周波数よりも高い周波数成分を除去した電圧を、前記漏洩防止電流に変換することを特徴とする請求項１記載の漏洩電流低減装置。
【請求項３】
前記電流供給装置は、
前記合成電圧の位相を変化させ、移相合成電圧を生成する移相装置と、
前記移相合成電圧を増幅し、電流生成電圧を生成する増幅装置と、
前記電流生成電圧を前記漏洩防止電流に変換する電流変換装置と、
を備え、
前記移相装置は、前記移相合成電圧の振幅を、前記合成電圧の周波数に比例させて生成することを特徴とする請求項２記載の漏洩電流低減装置。
【請求項４】
前記電流供給装置を、前記漏電遮断器と前記接地コンデンサとの間で、前記配線の各々に接続するために設けられた電源相選択スイッチと、
前記配線の各々の対地間電圧を、前記漏電遮断器と前記電源相選択スイッチとの間で検出し、前記配線のうち、最小の対地間電圧を有した配線を前記電源の接地相と前記電子機器とを接続した配線であると判定し、
前記電源の接地相と前記電子機器とを接続した配線であると判定した配線以外の配線と前記電流供給装置との間の電源相選択スイッチを開くとともに、前記電源の接地相と前記電子機器とを接続した配線であると判定した配線と前記電流供給装置との間の電源相選択スイッチを閉じ、
前記漏洩防止電流が、前記電源の接地相と前記電子機器とを接続した配線を介して前記接地に流れる経路を確立するスイッチ選択装置と、
を備えたことを特徴とする請求項１〜請求項３のいずれかに記載の漏洩電流低減装置。
【請求項５】
前記接地コンデンサと前記接地との間に設けられた接地用スイッチ、
を備え、
前記スイッチ選択装置は、前記電源の接地相と前記電子機器とを接続した配線であると判定した配線と前記電流供給装置との間の電源相選択スイッチを閉じると同時に、前記接地用スイッチを閉じることを特徴とする請求項４記載の漏洩電流低減装置。
【発明の詳細な説明】
【技術分野】
【０００１】
この発明は、電源の各相と接地との間に設けられた接地コンデンサを通って流れる漏洩電流を低減する漏洩電流低減装置に関するものである。
【背景技術】
【０００２】
従来、商用交流三相電源とモータ駆動ユニットとの間には、漏電遮断器、ノイズフィルタが設けられる。漏電遮断器は、商用交流三相電源の三相以外に電流が漏洩した場合に動作し、漏電を防止する機能を備える。ノイズフィルタは、モータ駆動ユニットから商用交流三相電源にノイズが流れることを防止する機能を備える。具体的には、ノイズフィルタは、接地コンデンサ、リアクトルを備える。ノイズフィルタで、効果的にノイズの流出を防止するには、発生したノイズ電流を接地コンデンサに極力多く流し、リアクトルに流れる電流を極力少なくすることが求められる。即ち、コンデンサの容量を大きくするか、リアクトルのインダクタンスを大きくする必要がある。
【０００３】
しかし、電源の一つの相を接地する方法で、電源の接地を取った場合、接地相以外の相に接続されたコンデンサに商用交流三相電源電圧が印加される。このため、接地コンデンサの容量を大きくした場合、対地に大きな電流が流れてしまい、漏電遮断器が誤動作してしまうという問題があった。一方、リアクトルのインダクタンスを大きくした場合は、リアクトル自体の大型化が必要となり、ノイズフィルタの大型化、コスト高につながるという問題があった。
【０００４】
そこで、トランスを使って、漏洩防止電流を生成し、接地コンデンサを介して接地に流れる漏洩電流を打ち消す方法が提案されている。これにより、漏電遮断器の誤動作が防止される（例えば、特許文献１参照）。
【０００５】
【特許文献１】特開平６−２６１４４２号公報
【発明の開示】
【発明が解決しようとする課題】
【０００６】
しかし、特許文献１記載のものにおいても、トランスの小型化が困難であった。
【０００７】
この発明は、上述のような課題を解決するためになされたもので、その目的は、漏電遮断器の誤動作を防止しつつ、ノイズフィルタを小型にすることができる漏洩電流低減装置を提供することである。
【課題を解決するための手段】
【０００８】
この発明に係る漏洩電流低減装置は、電源の各相と電子機器とを接続した配線の経路に接続された漏電遮断器と、前記漏電遮断器と前記電子機器との間で、前記配線の各々と接地とに接続された接地コンデンサと、前記漏電遮断器と前記電子機器との間で、前記電源の各相と前記電子機器とを接続した配線にかかる対地間電圧を検出し、前記対地間電圧を合成して合成電圧を生成する加算装置と、前記合成電圧を、前記電源の接地相以外の相と前記電子機器とを接続した配線を介して前記接地に流れる電流の前記電源の周波数成分と反対位相かつ同振幅の漏洩防止電流に変換し、前記漏洩防止電流を、前記電源の接地相と前記電子機器とを接続した配線を介して前記接地に向けて供給する電流供給装置とを備えたものである。
【発明の効果】
【０００９】
この発明によれば、漏電遮断器の誤動作を防止しつつ、ノイズフィルタを小型にすることができる。
【発明を実施するための最良の形態】
【００１０】
この発明を実施するための最良の形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１における漏洩電流低減装置の全体構成図である。
図１において、１は電源である。この電源は、商用交流三相電源である。２は電源用接地線である。この電源用接地線２は、電源の電位を安定化させるため、電源を接地する機能を備える。３は電子機器である。この電子機器３は、コンバータ４、平滑コンデンサ５、インバータ６、モータ７を備える。コンバータ４は、電源１の交流電圧を直流電圧に変換する機能を備える。平滑コンデンサ５は、コンバータ４が変換した直流電圧を平滑化する機能を備える。インバータ６は、平滑コンデンサ５が平滑した直流電圧を交流電圧に変換する機能を備える。モータ７は、インバータ６が出力する交流電圧により駆動する機能を備える。８はモータ用接地線である。このモータ用接地線８は、ユーザの感電を防止するため、モータの電位を安定化する機能を備える。
【００１２】
９は配線である。これらの配線９は、電源１の各相と電子機器３とを接続する。１０は漏電遮断器である。この漏電遮断器１０は、配線９の経路に接続される。そして、漏電遮断器１０は、配線９間以外に電流が漏洩した場合に動作する機能を備える。１１はノイズフィルタである。このノイズフィルタ１１は、相間コンデンサ、コモンモードコイル、接地コンデンサ（図１においては共に図示せず）を備える。このノイズフィルタ１１は、漏電遮断器１０と電子機器３との間で、配線９の各々に接続される。このノイズフィルタ１１は、主にインバータ６が発生するノイズが電源１に流出することを防止する機能を備える。１２はノイズフィルタ用接地線である。このノイズフィルタ用接地線１２は、漏洩電流を低減する機能を備える。
【００１３】
本実施の形態においては、さらに、電圧検出装置１３、加算装置１４、電流供給装置１５、電源相選択スイッチ１６、スイッチ選択装置１７を備える。電圧検出装置１３は、配線９と対地間電圧を検出する機能を備える。加算装置１４は、電圧検出装置１３が検出した対地間電圧を合成して合成電圧を生成する機能を備える。ここで、電源１の接地相の対地間電圧は、零である。従って、加算装置１４は、電源１の接地相以外の相と電子機器３とを接続した配線９の対地間電圧を合算することになる。電流供給装置１５は、低域通過形フィルタ１８、移相装置１９、増幅装置２０、電流変換装置２１を備える。低域通過形フィルタ１８は、合成電圧から電源１の周波数よりも高い周波数成分を除去して、低域合成電圧を生成する機能を備える。移相装置１９は、低域合成電圧の位相を変化させ、移相合成電圧を生成する機能を備える。増幅装置２０は、移相合成電圧を増幅し、電流生成電圧を生成する機能を備える。電流変換装置２１は、抵抗からなる。この電流変換装置２１は、電流生成電圧を漏洩防止電流に変換する機能を備える。
【００１４】
電源相選択スイッチ１６は、電流変換装置２１を、漏洩遮断器と接地コンデンサ２６との間で、配線９の各々に接続するために設けられる。スイッチ選択装置１７は、電圧検出装置１３の出力から各配線９の対地間電圧を検出する機能を備える。そして、スイッチ選択装置１７は、配線９のうち、最小の対地間電圧を有した配線９を電源１の接地相と電子機器３に接続した配線９であると判定する機能を備える。さらに、スイッチ選択装置１７は、電源１の接地相と電子機器３とを接続した配線９であると判定した配線９以外の配線９と電流供給装置１５との間の電源相選択スイッチ１６を開くとともに、電源１の接地相と電子機器３とを接続した配線９であると判定した配線９と電流供給装置１５との間の電源相選択スイッチ１６を閉じる機能を備える。これにより、漏洩防止電流が、電源１の接地相と電子機器３とを接続した配線９を介して接地に流れる経路が確立される。
【００１５】
次に、図２〜図４を用いて、漏洩電流低減装置の動作を説明する。
まず、図２を用いて、ノイズフィルタ１１について、より詳細に説明する。
図２は図１におけるノイズフィルタの詳細図である。
図２において、２２はノイズフィルタ１１の入力端子である。これらの入力端子２２は、それぞれ、配線９を介して漏電遮断器１０に接続される。２３はノイズフィルタ１１の出力端子である。これらの出力端子２３は、それぞれ、配線３５を介してコンバータ４の入力端子２２に接続される。２４は相間コンデンサである。これらの相間コンデンサ２４は、電源１の各相に対応した配線間に接続される。２５はコモンモードコイルである。これらのコモンモードコイル２５は、電源１の各相に対応し、入出力端子２２、２３間で直列に接続される。２６は接地コンデンサである。これらの接地コンデンサ２６は、電源１の各相に対応した配線と接地端子２７との間に接続される。そして、接地端子２７は、ノイズフィルタ用接地線１２（図２においては図示せず）を介して接地される。
【００１６】
ここで、図３を用いて、外部接続の電気的な等価回路を考える。
図３は図１におけるノイズフィルタ及びモータ駆動ユニットの等価回路の第１の例を示す図である。
図３において、２８は電源１の相電圧である。この相電圧２８の一つは、接地相として、電源用接地線２を介して接地される。２９は差動等価電圧源である。これらの差動等価電圧源２９は、ノイズフィルタ１１の出力端子２３に現れる電圧の差動成分と等価である。３０は同相ノイズ源である。この同相ノイズ源３０は、同相成分を出力する。３１は浮遊容量３１である。この浮遊容量３１は、モータの巻き線とモータの筐体との間の容量を示す。なお、差動等価電圧源２９、同相ノイズ源３０は、インピーダンス成分（図示せず）を含むものとする。
【００１７】
さらに、図４を用いて、ノイズフィルタ１１の同相ノイズ除去効果を考える。
図４は図１におけるノイズフィルタ及びモータ駆動ユニットの等価回路の第２の例を示す図である。
図４において、電源１は、差動電圧成分とともに、同相電圧成分を含むが、同相電圧成分の周波数が低いため、ここでは無視する。即ち、回路としては、電源１が配置された位置が短絡状態となっていることと等価である。また、相間コンデンサ２４は、差動電圧に対して有効だが、同相電圧に対しては無効である。即ち、相間コンデンサ２４は、ないものとして扱われる。
【００１８】
ここで、コンバータ４から電源系統に流出する同相ノイズは、同相ノイズ源３０から発生する。この同相ノイズは、第１及び第２回路ループ３２、３３を電流経路とする。具体的には、第１回路ループ３２は、同相ノイズ源３０から、接地コンデンサ２６、ノイズフィルタ用接地線１２、接地経路（図示せず）、モータ用接地線８、浮遊容量３１を経由して、同相ノイズ源３０に戻る電流経路である。また、第２回路ループ３３は、同相ノイズ源３０から、リアクトル、電源用接地線２、接地回路（図示せず）、モータ用接地線８、浮遊容量３１を経由して、同相ノイズ源３０に戻る電流経路である。
【００１９】
上記同相ノイズの流出を、ノイズフィルタ１１で効率的に防止するには、発生したノイズ電流の極力多くを第１回路ループ３２に流し、第２回路ループ３３に流れる電流を極力低減することが求められる。ここで、両回路ループ３２、３３に流れる電流の分流比は、両回路ループ３２、３３のインピーダンス比で決定される。このため、第１回路ループ３２のインピーダンスを、第２回路ループ３３のインピーダンスと比較して極力小さくすることが望まれる。即ち、接地コンデンサ２６の容量を大きくし、第１回路ループ３２のインピーダンスを小さくするか、コモンモードコイル２５のインダクタンスを大きくし、第２回路ループ３３のインピーダンスを大きくする必要がある。しかし、電源１の一つの相を接地しているため、接地相以外の相と電子機器３とを接続した配線９に接続された接地コンデンサ２６には、電源電圧が印加される。従って、接地コンデンサ２６の容量を大きくした場合は、対地に大きな漏洩電流が流れ、漏電遮断器１０が誤動作し得る。
【００２０】
そこで、漏洩電流を打ち消す方法について検討する。
まず、電源１の中性点基準のＲ相電圧ＶＲＮ、Ｓ相電圧ＶＳＮ、Ｔ相電圧ＶＴＮを仮定する。なお、Ｓ相電圧ＶＳＮは、Ｒ相電圧ＶＲＮよりも位相が１２０度遅れている。また、Ｔ相電圧ＶＴＮは、Ｓ相電圧ＶＳＮよりも位相が１２０度遅れている。かかる条件の下では、Ｒ相電圧ＶＲＮ、Ｓ相電圧ＶＳＮ、Ｔ相電圧ＶＴＮは、（１）〜（３）式で表される。
【数１】
2010130868.tif 000003
【００２１】
本実施の形態においては、Ｔ相が接地されている。そこで、Ｒ相電圧ＶＲＮ、Ｓ相電圧ＶＳＮ、Ｔ相電圧ＶＴＮを、Ｔ相基準の相電圧２８に変換する。変換後のＲ相電圧ＶＲＴ、Ｓ相電圧ＶＳＴ、Ｔ相電圧ＶＴＴは、（４）〜（６）式で表される。
【数２】
2010130868.tif 000004
【００２２】
ここで、電源１の中性点基準のＲ相電圧ＶＲＮ、Ｓ相電圧ＶＳＮ、Ｔ相電圧ＶＴＮの振幅は、互いに等しいとすると、（７）式が成り立つ。
【数３】
2010130868.tif 000005
【００２３】
（４）〜（６）式において、（７）の条件を考慮すると、変換後のＲ相電圧ＶＲＴ、Ｓ相電圧ＶＳＴ、Ｔ相電圧ＶＴＴは、（８）〜（１０）式で表される。
【数４】
2010130868.tif 000006
【００２４】
一方、接地コンデンサ２６の容量を、Ｃ１〜Ｃ３とすると、接地コンデンサ２６のインピーダンスＺＣ１〜ＺＣ３と電源１の角周波数ωとの間には、（１１）〜（１３）式の関係が成り立つ。
【数５】
2010130868.tif 000007
【００２５】
ここで、電源１の周波数においては、コモンモードコイル２５のインピーダンスは、ほぼ零とみなすことができる。このため、接地コンデンサ２６に流れる電流は、接地コンデンサ２６のインピーダンスによりほぼ決定される。即ち、各接地コンデンサ２６に流れる電流ＩＣ１〜ＩＣ３は、（８）〜（１３）式から、（１４）〜（１６）式で表される。
【数６】
2010130868.tif 000008
【００２６】
ここで、各接地コンデンサ２６の容量には、（１７）式が成り立つとする。
【数７】
2010130868.tif 000009
【００２７】
そして、各接地コンデンサ２６に流れる電流の和が漏洩電流となる。よって、漏洩電流ＩＮは、（１８）式で表される。
【数８】
2010130868.tif 000010
【００２８】
一方、（８）式、（９）式より、加算装置１４に合成された合成電圧ＶＳＵＭは、電圧検出装置１３の電圧検出感度をＫＤとすると、（１９）式に表される。
【数９】
2010130868.tif 000011
【００２９】
この合成電圧ＶＳＵＭは、低域通過形フィルタ１８に入力される。このため、合成電圧ＶＳＵＭは、インバータ６が発生した高周波ノイズが除去された低域合成電圧となる。この際、低域通過形フィルタ１８の遮断周波数を、電源１の周波数よりも十分高くすることで、電源１の周波数成分においては、振幅、位相の変化を無視できる。そして、移相装置１９により、高周波ノイズを除去した低域合成電圧ＶＳＵＭの位相が９０度回転する。即ち、移相後の移相合成電圧ＶＤは、（２０）式で表される。
【数１０】
2010130868.tif 000012
【００３０】
ここで、増幅装置２０の増幅率をＫＧ、電流変換装置２１の抵抗値をＲＩとする。この場合、接地相に流れる電流ＩＥは、（２１）式で表される。
【数１１】
2010130868.tif 000013
【００３１】
従って、漏洩電流を打ち消すには、（２２）式の関係を満たすように、ＫＤを選定すればよい。
【数１２】
2010130868.tif 000014
【００３２】
ここで、Ｃ、ＲＩ、ωは、正の数である。このため、例えば、増幅装置２０の増幅率ＫＧを負の数とすればよい。即ち、増幅装置２０は、反転増幅機能を備えることになる。
【００３３】
以上で説明した実施の形態１によれば、接地コンデンサ２６の容量を大きくしても、漏洩電流が流れることを防止できる。このため、漏電遮断器１０の誤動作を防止しつつ、ノイズフィルタ１１全体のサイズ、コストを削減することができる。また、本実施の形態の漏洩電流低減装置は、トランスを使うことなく、電子回路で実現される。このため、漏洩電流低減装置自体の小型化も可能である。
【００３４】
さらに、スイッチ選択装置１７が、電源１の接地相と電子機器３とを接続した配線９であると判定した配線９以外の配線９と電流供給装置１５との間の電源相選択スイッチ１６を開くとともに、電源１の接地相と電子機器３とを接続した配線９であると判定した配線９と電流供給装置１５との間の電源相選択スイッチ１６を閉じる。このため、電源１の接地相を配慮した配線が不要となり、設置現場での配線ミスを防止することができる。
【００３５】
なお、実施の形態１では、増幅装置２０は、電圧増幅器であり、電流変換装置２１は、抵抗である。しかし、これらを電流増幅器としてもよい。また、電流変換装置２１としての抵抗に代え、電源１の周波数において漏洩防止電流の位相に影響を与えない範囲で抵抗とリアクトルの直列回路に変更してもよい。これにより、不要なノイズ電流が流れることを防止することができる。さらに、電流変換装置２１としての抵抗に、電源１の周波数において漏洩防止電流の位相に影響を与えない範囲で、コンデンサを直列に接続してもよい。これにより、不要な低周波電流が流れることを防止することができる。
【００３６】
実施の形態２．
実施の形態２の漏洩電流低減装置は、実施の形態１の漏洩電流低減装置とほぼ同様である。このため、実施の形態２の漏洩電流低減装置は、図示しない。なお、実施の形態１と同一又は相当部分には同一符号を付して説明を省略する。
【００３７】
実施の形態２においては、実施の形態１と移相装置１９の詳細が異なる。即ち、実施の形態２においては、移相装置１９は、振幅の時間微分特性を有する点に特徴を有する。具体的には、移相装置１９は、移相合成電圧を、合成電圧の周波数に比例させて生成する。より具体的には、移相装置１９は、合成電圧ＶＳＵＭが入力されると、（２３）式で表される移相合成電圧ＶＤを出力する。
【数１３】
2010130868.tif 000015
【００３８】
ここで、増幅装置２０の増幅率をＫＧ、電流変換装置２１の抵抗値をＲＩとする。この場合、接地相に流れる電流ＩＥは、（２４）式で表される。
【数１４】
2010130868.tif 000016
【００３９】
従って、漏洩電流を打ち消すには、漏洩電流低減装置は、（２５）式の関係を満たすように、ＫＤを選定すればよい。
【数１５】
2010130868.tif 000017
【００４０】
ここで、Ｃ、ＲＩは、正の数である。このため、例えば、増幅装置２０の増幅率ＫＧを負の数とすればよい。即ち、増幅装置２０は、反転増幅機能を備えることになる。
【００４１】
以上で説明した実施の形態２によれば、移相装置１９が、移相合成電圧を、低域合成電圧の周波数に比例させて生成する時間微分特性を備えている。このため、実施の形態１と同様の効果に加え、一つの漏洩電流低減装置で、異なる電源周波数に対応することができる。
【００４２】
実施の形態３．
図５はこの発明の実施の形態３における漏洩電流低減装置の全体構成図である。なお、実施の形態１及び２と同一又は相当部分には同一符号を付して説明を省略する。
【００４３】
漏洩電流低減装置は、漏洩電流低減装置の電源が立ち上がるまで、機能しない。従って、実施の形態１及び２の漏洩電流低減装置は、接地コンデンサ２６に流れる電流が漏電遮断器１０の動作電流に対し、裕度がある場合に適用できる。しかし、さらに大きな容量の接地コンデンサ２６を使用した場合、漏洩電流低減装置の電源１を残りの回路よりも早く起動しないと、漏電遮断器１０が誤動作してしまう。
【００４４】
そこで、実施の形態３においては、上記誤動作を防止する構成とした。具体的には、実施の形態３の漏洩電流低減装置は、実施の形態１及び２に、接地用スイッチ３４を付加する構成とした。この接地用スイッチ３４は、接地コンデンサ２６と接地との間に設けられる。そして、スイッチ選択装置１７は、電源１の接地相と電子機器３とを接続した配線９であると判定した配線９と電流供給装置１５との間の電源相選択スイッチ１６を閉じると同時に、前記接地用スイッチ３４を閉じる機能を備える。
【００４５】
以上で説明した実施の形態３によれば、スイッチ選択装置１７が、電源１の接地相と電子機器３とを接続した配線９であると判定した配線９と電流供給装置１５との間の電源相選択スイッチ１６を閉じると同時に、接地用スイッチ３４を閉じる。このため、接地コンデンサ２６の容量制限をなくすことができる。このため、よりノイズフィルタ１１のサイズ、コストを削減することができる。
【図面の簡単な説明】
【００４６】
【図１】この発明の実施の形態１における漏洩電流低減装置の全体構成図である。
【図２】図１におけるノイズフィルタの詳細図である。
【図３】図１におけるノイズフィルタ及びモータ駆動ユニットの等価回路の第１の例を示す図である。
【図４】図１におけるノイズフィルタ及びモータ駆動ユニットの等価回路の第２の例を示す図である。
【図５】この発明の実施の形態３における漏洩電流低減装置の全体構成図である。
【符号の説明】
【００４７】
１  電源、  ２  電源用接地線、  ３  電子機器、  ４  コンバータ、
５  平滑コンデンサ、  ６  インバータ、  ７  モータ駆動ユニット、
８  モータ用接地線、  ９  配線、  １０  漏電遮断器、  １１  ノイズフィルタ、
１２  ノイズフィルタ用接地線、  １３  電圧検出装置、  １４  加算装置、
１５  電流供給装置、  １６  電源相選択スイッチ、  １７  スイッチ選択装置、
１８  低域通過形フィルタ、  １９  移相装置、  ２０  増幅装置、  
２１  電流変換装置、  ２２  入力端子、  ２３  出力端子、  ２４  相間コンデンサ、
２５  コモンモードコイル、  ２６  接地コンデンサ、  ２７  接地端子、  
２８  相電圧、  ２９  差動等価電圧源、  ３０  同相ノイズ源、  ３１  浮遊容量、
３２  第１回路ループ、  ３３  第２回路ループ、  ３４  接地用スイッチ、
３５  配線
【図１】
2010130868.tif 000018
【図２】
2010130868.tif 000019
【図３】
2010130868.tif 000020
【図４】
2010130868.tif 000021
【図５】
2010130868.tif 000022